(57)【要約】      （修正有）【課題】入浴用車椅子に座ったままで、容易且つ円滑に安全な入浴を可能にすると共に、浴室内で比較的場所をとらない入浴補助装置を提供する。【解決手段】入浴用車椅子２を搭載自在の吊り籠３と、吊り籠３を案内する上下ガイド４と、上下ガイド４を吊下する水平方向のアーム５と、アーム５が固着される起立する回転ブーム６と、回転ブーム６の下端部を回転自在に支持する固定台７と、回転ブーム６に固着されるウインチ８と、ウインチ８に巻き戻し自在に巻回され、吊り籠３を上下動自在に吊下するワイヤー１０とにより構成する。さらに、回転ブーム６に固着され、固定台７を締付けることにより、回転ブーム６の回転を制限するブレーキ装置１１と、回転ブーム６に配設され、ブレーキ開放ロッド１２を介してブレーキ装置１１のブレーキ開放を行うと共に、回転ブーム６の回転を操作するブレーキ開放兼旋回ハンドル１３とを備えて入浴補助装置１を構成する。【選択図】図３
0003164472.tif 000002
【実用新案登録請求の範囲】
【請求項１】
入浴用座椅子、入浴用車椅子又は入浴用ストレッチャーを搭載自在の吊り籠と、
前記吊り籠を上下動自在に案内する上下ガイドと、
前記上下ガイドの上端部を先端部で吊下する水平方向のアームと、
前記アームの基端部が上端部に固着される起立する回転ブームと、
前記回転ブームの下端部を回転自在に支持する固定台と、
前記回転ブームに固着されるウインチと、
前記ウインチに巻き戻し自在に巻回され、前記回転ブームの上端部及び前記アームの先端部に取付けられた滑車に巻回され、前記吊り籠を上下動自在に吊下するワイヤーと、
前記回転ブームに固着され、前記固定台を締付けることにより、前記回転ブームの回転を制限するブレーキ装置と、
前記回転ブームに配設され、ブレーキ開放ロッドを介して前記ブレーキ装置のブレーキ開放を行うと共に、ブレーキ開放時に、前記回転ブームの回転を操作するブレーキ開放兼旋回ハンドルとを備えたことを特徴とする入浴補助装置。
【請求項２】
前記ブレーキ装置は、前記固定台を付勢手段による付勢により締め付け自在のブレーキシューと、
前記ブレーキ開放兼旋回ハンドルの操作により、前記ブレーキ開放ロッドを介して前記ブレーキシューの締め付けを開放するブレーキ開放カムとを備えたことを特徴とする請求項１記載の入浴補助装置。
【請求項３】
前記固定台は上端部が段差を介して細い丸棒状に形成され、細い丸棒状の前記上端部がその上下端部に平軸受けを夫々装着されて前記回転ブームの下端部に挿入され、前記回転ブームが前記固定台に対し回転自在に支持され、
前記回転ブームは、下端にブレーキ取付板が配設され、
前記ブレーキ取付板に前記ブレーキシュー及びブレーキ開放カムが配設され、
前記ブレーキ取付板は、前記固定台の段差上にスラスト荷重受を介して載置され、
前記回転ブームは、前記平軸受け及び前記スラスト荷重受により、前記固定台に対して回転自在に支持され、前記ブレーキシュー及びブレーキ開放カムからなるブレーキ装置により回転を制限又は開放されるように構成されたことを特徴とする請求項２記載の入浴補助装置。
【考案の詳細な説明】
【技術分野】
【０００１】
本考案は、入浴用座椅子、入浴用車椅子又は入浴用ストレッチャーに座ったままで、容易且つ円滑に安全な入浴を可能にする入浴補助装置に関するものである。
【背景技術】
【０００２】
此種の入浴補助装置として、種々のものが知られている。
例えば、浴槽の外にポールを立て、ポールに取付けたアームを回転昇降させてカートから分離したシート（入浴用座椅子）を洗い場から浴槽内に移動させる入浴補助装置や、浴槽内の壁面や、天井にレールを配設し、そのレールを走行する昇降装置を設け、昇降装置がカートから分離したシート（入浴用座椅子）を洗い場から浴槽内に移動させる入浴補助装置などが既に販売されている。
【０００３】
又、此種先行技術文献として、例えば、特許文献１及び２があり、特許文献１は、浴槽内に取り外し自在に載置される主枠に、ハンドル操作によって回転する昇降用螺軸と、この螺軸の回転によって昇降する座枠を設けた入浴補助装置が記載されている。
特許文献２は、洗い場と浴槽間を延在する横行レール、横行レールに水平移動可能に係合された本体、本体に固定された昇降用レール、昇降用レールに昇降可能に係合された昇降台座、昇降台座と車椅子間で受け渡しされる移送座席等を備え、入浴者を水平移動及び昇降させて浴槽内へ入浴させる入浴介護補助装置が記載されている。
【先行技術文献】
【特許文献】
【０００４】
【特許文献１】特開平１０−２７７１２０号公報
【特許文献２】特開２００１−２７７１２０号公報
【考案の概要】
【考案が解決しようとする課題】
【０００５】
前述した既に販売されているポールやレールを配設する入浴補助装置は、カートから分離したシート（入浴用座椅子）を洗い場から浴槽内に移動させるものであるので、入浴者をシートに着座させることが必要であり、着座が困難な入浴者は利用が困難である。又、着座が困難な入浴者のために入浴用ストレッチャーを利用することも困難である。
【０００６】
前述した特許文献１の入浴補助装置は、入浴者が洗い場側から浴槽側にある座枠に掛け、座枠に掛けた体を回転させて入浴姿勢になるが、この動作は、入浴者の身体状態によっては困難又は危険となる虞があり、或いは、介護者の負担が大きくなる問題がある。
又、特許文献１の入浴補助装置は、浴槽内の限られたスペース内に設置するものであるので、浴槽内が狭くなったり、浴槽内の清掃作業が煩雑になり、或いは、清掃の度に取り外しや取り付けを行う場合にはその作業が比較的煩雑である。
【０００７】
特許文献２の入浴介護補助装置は、洗い場と浴槽間を延在する横行レールが、天井側に配設され、それを支える左右柱が左右に配設されるため、装置が大型化すると共に、浴室の自由な空間を狭め、又、横行レールや左右柱が浴室の美観を損なう虞がある。
又、特許文献１及び２に於いても、着座が困難な入浴者の利用が困難であり、又、入浴用ストレッチャーを利用することも困難である。
【０００８】
以上の現状に鑑み、本考案は、入浴用座椅子、入浴用車椅子又は入浴用ストレッチャーに座ったままで、容易且つ円滑に安全な入浴を可能にすると共に、浴室内で比較的場所をとらない入浴補助装置を提供することを目的とする。
【課題を解決するための手段】
【０００９】
上記の課題を解決すべく、本考案は以下の構成を提供する。
請求項１に係る考案は、入浴用座椅子、入浴用車椅子又は入浴用ストレッチャーを搭載自在の吊り籠と、
前記吊り籠を上下動自在に案内する上下ガイドと、
前記上下ガイドの上端部を先端部で吊下する水平方向のアームと、
前記アームの基端部が上端部に固着される起立する回転ブームと、
前記回転ブームの下端部を回転自在に支持する固定台と、
前記回転ブームに固着されるウインチと、
前記ウインチに巻き戻し自在に巻回され、前記回転ブームの上端部及び前記アームの先端部に取付けられた滑車に巻回され、前記吊り籠を上下動自在に吊下するワイヤーと、
前記回転ブームに固着され、前記固定台を締付けることにより、前記回転ブームの回転を制限するブレーキ装置と、
前記回転ブームに配設され、ブレーキ開放ロッドを介して前記ブレーキ装置のブレーキ開放を行うと共に、ブレーキ開放時に、前記回転ブームの回転を操作するブレーキ開放兼旋回ハンドルとを備えたことを特徴とする入浴補助装置を提供するものである。
【００１０】
請求項２に係る考案は、前記ブレーキ装置は、前記固定台を付勢手段による付勢により締め付け自在のブレーキシューと、
前記ハンドルの操作により、前記ブレーキ開放ロッドを介して前記ブレーキシューの締め付けを開放するブレーキ開放カムとを備えたことを特徴とする請求項１記載の入浴補助装置を提供するものである。
【００１１】
請求項３に係る考案は、前記固定台は上端部が段差を介して細い丸棒状に形成され、細い丸棒状の前記上端部がその上下端部に平軸受けを夫々装着されて前記回転ブームの下端部に挿入され、前記回転ブームが前記固定台に対し回転自在に支持され、
前記回転ブームは、下端にブレーキ取付板が配設され、
前記ブレーキ取付板に前記ブレーキシュー及びブレーキ開放カムが配設され、
前記ブレーキ取付板は、前記固定台の段差上にスラスト荷重受を介して載置され、
前記回転ブームは、前記平軸受け及び前記スラスト荷重受により、前記固定台に対して回転自在に支持され、前記ブレーキシュー及びブレーキ開放カムからなるブレーキ装置により回転を制限又は開放されるように構成されたことを特徴とする請求項２記載の入浴補助装置を提供するものである。
【考案の効果】
【００１２】
本考案によれば、入浴用座椅子、入浴用車椅子又は入浴用ストレッチャーに座ったままで、容易且つ円滑に安全な入浴を可能にすると共に、浴室内で比較的場所をとらない入浴補助装置を提供することできる。
又、本考案によれば、入浴者の様子を見ながら、ブレーキ開放兼旋回ハンドルにより、手動でブレーキ装置のブレーキ開放を行うと共に、回転ブームの回転を操作できる安全な入浴補助装置を提供することできる。
【図面の簡単な説明】
【００１３】
【図１】本考案による入浴補助装置の斜視図である。
【図２】本考案による入浴補助装置の吊り籠に入浴用車椅子を搭載する状態を示す正面図である。
【図３】本考案による入浴補助装置の吊り籠を入浴用車椅子と共に浴槽内に降下させる状態を示す正面図である。
【図４】（ａ）本考案による入浴補助装置の固定台、回転ブーム及びブレーキ装置の一部拡大正面図である。（ｂ）前図４（ａ）のＡ−Ａ線断面図である。
【図５】前図４のＢ−Ｂ線断面図である。
【図６】前図２のＣ−Ｃ線断面図である。
【図７】前図６のＤ−Ｄ線断面図である。
【図８】前図２のＥ−Ｅ線断面図である。
【図９】本考案による入浴補助装置の回転ブームの回転状態を示す平面図である。
【図１０】本考案による入浴補助装置の吊り籠を入浴用ストレッチャーと共に浴槽内に降下させる状態を示す正面図である。
【考案を実施するための形態】
【００１４】
以下、実施例を示した図面を参照しつつ本考案の実施の形態を説明する。
図１及び図２に於いて、１は、本考案の入浴補助装置であり、入浴補助装置１は、入浴用車椅子２又は入浴用ストレッチャー（図１０に於いて５６参照）を搭載自在の吊り籠３と、吊り籠３を上下動自在に案内する上下ガイド４と、上下ガイド４の上端部を先端部で吊下する水平方向のアーム５と、アーム５の基端部が上端部に固着される起立する回転ブーム６と、回転ブーム６の下端部を回転自在に支持する固定台７とを備えている。
尚、入浴用車椅子２は、入浴用に改良された車椅子であり、通常の車椅子と同様に介助者が押すと車輪が回転して移動可能に構成されたものであり、ブレーキが取付けられている。
【００１５】
更に、入浴補助装置１は、回転ブーム６に固着されるハンドル８ａ付きのウインチ８と、ウインチ８に巻き戻し自在に巻回され、回転ブーム６のウインチ８近傍部、アーム５の基端部及び先端部に取付けられた滑車９，９，９に巻回され、吊り籠３を上下動自在に吊下するワイヤー１０と、回転ブーム６に固着され、固定台７を締付けることにより、回転ブーム６の回転を制限するブレーキ装置１１と、回転ブーム６に配設され、ブレーキ開放ロッド１２を介してブレーキ装置１１のブレーキ開放を行うと共に、ブレーキ開放時に、回転ブーム６の回転を操作するブレーキ開放兼旋回ハンドル１３とを備えている。ブレーキ開放兼旋回ハンドル１３は、略中央部を回転ブーム６に回転自在に軸支され、図２に於いて、ブレーキ開放兼旋回ハンドル１３の把手側を実線位置から二点鎖線位置に矢印の如く下げると、ブレーキ開放兼旋回ハンドル１３の把手側と反対側に上端が回転自在に固着されたブレーキ開放ロッド１２を介して、ブレーキ開放ロッド１２下方側に配設されたブレーキ装置１１を開放させ、ブレーキ開放兼旋回ハンドル１３の把手から手を離すとブレーキ開放ロッド１２等の重み、及び、後述する圧縮バネ（図４に於いて２４）の付勢により二点鎖線位置から実線位置に自動復帰し、ブレーキ装置１１を作動させて固定台７を再び締付けるように構成されている。
尚、図１及び図２に於いて、１４は、アーム５を所定長さ位置で固定するアーム止めピンである。
【００１６】
前記吊り籠３は、方形の床板２１と、方形の天板２２と、床板２１と天板２２とを所定間隔離間させて４隅部で夫々連結する４つの連結棒２３，２３…とで形成され、天板２２の中央部を前記上下ガイド４が摺動するように構成されている。
前記ブレーキ装置１１は、図４に示す如く、付勢手段である圧縮バネ２４による付勢によって固定台７を締め付け自在のブレーキシュー２５と、ブレーキ開放兼旋回ハンドル（図２に於いて１３）の操作により、ブレーキ開放ロッド１２を介してブレーキシュー２５の締め付けを開放するブレーキ開放カム２６とを備えている。
【００１７】
前記ブレーキシュー２５は、２つのブレーキパッド２７，２７と、半円板部２８ａと平板部２８ｂとが一体に形成され、ブレーキパッド２７を半円板部２８ａの内側部に保持する２つのパッド保持板２８，２８と、２つのパッド保持板２８，２８の半円板部２８ａ，２８ａの端部を相互に回転自在に連結するブレーキシューピン２９と、２つのパッド保持板２８，２８の平板部２８ｂ，２８ｂを近づける方向に付勢する圧縮バネ２４と、圧縮バネ２４をパッド保持板２８，２８の平板部２８ｂ，２８ｂに取付けるブレーキピン３０と、ブレーキピン３０に螺着してブレーキピン３０のパッド保持板２８からの離脱を防ぐナット３１とを備えている。
【００１８】
前記固定台７は上端部に段差３２を介して細い丸棒状の挿入部３３が形成され、挿入部３３はその上下端部に平軸受け３４，３４が夫々装着され、回転ブーム６の下端部に挿入されて回転ブーム６を回転自在に支持し、回転ブーム６は、下端周縁部に前記固定台７の段差３２を被うブレーキ取付板３５が配設され、ブレーキ取付板３５の一端下方にブレーキシューピン２９が固着され、ブレーキシューピン２９にパッド保持板２８，２８が回転自在に連結され、パッド保持板２８，２８の平板部２８ｂ，２８ｂに圧縮バネ２４が配設され、ブレーキ取付板３５の他端下方にブレーキ取付板３５から垂設する垂設部３５ａを介してブレーキ開放カム２６が配設され、ブレーキ取付板３５は、固定台７の段差３２上にスラスト荷重受３６を介して載置され、回転ブーム６は、平軸受け３４，３４及びスラスト荷重受３６により、固定台７に対して回転自在に支持され、ブレーキシュー２５及びブレーキ開放カム２６からなるブレーキ装置１１により回転を制限又は開放されるように構成されている。
【００１９】
図５は、前記ブレーキシュー２５と、ブレーキ開放カム２６と、ブレーキ開放ロッド１２の取り付け状態を示す拡大図であり、ブレーキシュー２５の２つの平板部２８ｂ，２８ｂの間にブレーキ開放カム２６が配設され、ブレーキ開放カム２６は、ブレーキアーム３７を介してブレーキ開放ロッド１２に連結され、図８に示す如く、ブレーキ開放兼旋回ハンドル１３が操作されてブレーキ開放ロッド１２が下降すると、ブレーキアーム３７が回転し、図５に示すブレーキアーム３７の回転によりブレーキ開放カム２６が回転すると、ブレーキ開放カム２６がブレーキシュー２５の２つの平板部２８ａ，２８ａを押し広げ、ブレーキシュー２５による固定台（図４に於いて７）の締め付けを解放する。
【００２０】
図６及び図７は吊り籠３の天板２２と上下ガイド４の拡大図であり、天板２２の中央部に貫通筒４１が天板２２を貫通して配設され、貫通筒４１内にスライド軸受け４２が装着され、スライド軸受け４２内を上下ガイド４が摺動するように構成されている。
【００２１】
次に、前記入浴補助装置１の使用方法について説明する。
図２に示す如く、入浴補助装置１のブレーキ開放兼旋回ハンドル１３を矢印の如く下げると、ブレーキ開放ロッド１２を介してブレーキ装置１１が開放し、固定台７の締め付けが開放され、この状態でブレーキ開放兼旋回ハンドル１３を操作して、回転ブーム６を回転させ、吊り籠３を洗い場５１側に移動させ、洗い場５１の床面５３に形成された吊り籠待機部５２に吊り籠３を待機させる。
尚、吊り籠待機部５２は、吊り籠３の床板２１を待機させられるように、洗い場５１の床面５３が床板２１よりもやや大きく凹設されており、吊り籠待機部５２に吊り籠３の床板２１を待機させた時、洗い場５１の床面５３と床板２１の上面とが同一高さとなるように形成されている。
そして、入浴者５４が着座した状態で入浴用車椅子２を洗い場５１から床板２１上に移動させた後、入浴用車椅子２の車輪のストッパーをかけ、ウインチ８によって吊り籠３の下端が浴槽（図１に於いて５５）よりも高くなるように吊り上げ、ブレーキ開放兼旋回ハンドル１３の操作により、図９に示す如く実線位置から二点鎖線位置まで矢印の如く回転ブーム６を回転させ、図３の如く、吊り籠３を浴槽５５上方に移動させる。
尚、前記ウインチ８は、ハンドル８ａを手動で操作することにより、入浴者５４の様子を見ながら安全に作動させることができる。
【００２２】
次に、ブレーキ開放兼旋回ハンドル１３を離して、ブレーキ開放兼旋回ハンドル１３を上方に自動復帰させ、ウインチ８のハンドル８ａを回して吊り籠３を予めお湯を入れた浴槽５５内に下降させて、吊り籠３の床板２１を浴槽５５内の内底面に載置させる。この時、浴槽５５の湯面が入浴者５４の肩の辺りになることが望ましく、この状態で、入浴者５４を所定時間入浴させる。
【００２３】
入浴が終わったら、ウインチ８によって吊り籠３の下端が浴槽５５よりも高くなるように吊り上げ、ブレーキ開放兼旋回ハンドル１３を図２に示す矢印の如く下げ、ブレーキ開放ロッド１２を介してブレーキ装置１１を開放し、ブレーキ装置１１を開放した状態でブレーキ開放兼旋回ハンドル１３を操作して、回転ブーム６を回転させ、吊り籠３を洗い場５１側に移動させ、吊り籠３を吊り籠待機部５２上に位置させ、ブレーキ開放兼旋回ハンドル１３を離して、ブレーキ開放兼旋回ハンドル１３を上方に自動復帰させ、ブレーキ装置１１を作動状態にして、ウインチ８によって吊り籠３を吊り籠待機部５２に載置させる。
次に、入浴用車椅子２の車輪のストッパーを開放し、入浴用車椅子２を押して、入浴用車椅子２を床板２１から洗い場５１に移動させる。
【００２４】
図１０は、前記入浴用車椅子（図３に於いて２）に代えて、入浴用ストレッチャー５６を用いた場合を示している。
入浴用ストレッチャー５６を用いた場合にも、入浴用車椅子（図３に於いて２）を用いた場合と同様に前記入浴補助装置１を用いることができる。入浴用ストレッチャー５６を用いた場合は、上半身を起こすことが困難な入浴者を入浴させることができる。
又、上体を起こすことが困難ではない入浴者５４の場合も、入浴用ストレッチャー５６を所定角度まで倒すことにより、よりリラックスした姿勢で入浴が可能である。
又、本考案の入浴補助装置１は、前記入浴用車椅子（図３に於いて２）又は入浴用ストレッチャー５６に代えて、車輪や、ブレーキ等がついていない入浴用座椅子（図示せず）を用いることも可能である。入浴用座椅子を用いる場合、入浴者５４を座らせた入浴用座椅子を人力で吊り籠３に搭載したり、或いは、吊り籠３に搭載した空の入浴用座椅子に入浴者５４を座らせるという介助が必要となる。
【符号の説明】
【００２５】
１  入浴補助装置
２  入浴用車椅子
３  吊り籠
４  上下ガイド
５  アーム
６  回転ブーム
７  固定台
８  ウインチ
９  滑車
１０  ワイヤー
１１  ブレーキ装置
１２  ブレーキ開放ロッド
１３  ブレーキ開放兼旋回ハンドル
２５  ブレーキシュー
２６  ブレーキ開放カム
３２  段差
３４  平軸受け
３５  ブレーキ取付板
３６  スラスト荷重受
５６  入浴用ストレッチャー
【図１】
0003164472.tif 000003
【図２】
0003164472.tif 000004
【図３】
0003164472.tif 000005
【図４】
0003164472.tif 000006
【図５】
0003164472.tif 000007
【図６】
0003164472.tif 000008
【図７】
0003164472.tif 000009
【図８】
0003164472.tif 000010
【図９】
0003164472.tif 000011
【図１０】
0003164472.tif 000012